(57)【要約】      （修正有）【課題】バイタルサインの測定に加えて超音波診断を同時に行う際に、使用者の作業性を向上させることのできる載置部材を提供する。【解決手段】載置部材は、超音波画像が表示されるモニタ４０を固定する台車に取り付けられ、超音波画像を取得する超音波測定装置が載置される載置部材であって、超音波測定装置のプローブ５１に連結されたケーブルＣ１およびコネクタ部Ｃ２の少なくとも一部がはめ込まれて固定される固定部６２を有する。【選択図】図２
2020191985.tif 000002
【特許請求の範囲】
【請求項１】
超音波画像が表示されるモニタを固定する台車に取り付けられ、前記超音波画像を取得する超音波測定装置が載置される載置部材であって、
前記超音波測定装置のプローブに連結されたケーブルおよびコネクタ部の少なくとも一部がはめ込まれて固定される固定部を有する、載置部材。
【請求項２】
前記固定部は、前記ケーブルがはめ込まれるくびれ部を有する、請求項１に記載の載置部材。
【請求項３】
前記くびれ部は、前記ケーブルの長手方向に沿って２つ設けられる、請求項２に記載の載置部材。
【請求項４】
前記プローブが上下方向に沿うように載置される第１載置部を有する、請求項１〜３のいずれか１項に記載の載置部材。
【請求項５】
前記第１載置部を構成し互いに対向する長辺は、互いに略平行である、請求項４に記載の載置部材。
【請求項６】
前記第１載置部の上面側には、前記プローブが脱落せず、かつ前記プローブが上方から載置できるように、テーパ部が形成されている、請求項４または５に記載の載置部材。
【請求項７】
前記超音波測定装置のリモコンの操作面が前記モニタの画面側を向くように、前記リモコンが載置される第２載置部をさらに有する、請求項１〜６のいずれか１項に記載の載置部材。
【請求項８】
請求項１〜７のいずれか１項に記載の載置部材と、
前記台車と、
前記モニタと、
前記超音波測定装置と、を有する医療器具。
【請求項９】
超音波画像が表示されるモニタを固定する台車に取り付けられ、前記超音波画像を取得する超音波測定装置が載置される載置部材であって、
前記超音波測定装置のプローブが上下方向に沿うように載置される第１載置部を有する載置部材。
【発明の詳細な説明】
【技術分野】
【０００１】
本発明は、載置部材および医療器具に関する。
【背景技術】
【０００２】
被験者の状態を把握するための情報として各種のバイタルサイン（血圧、体温、呼吸、脈拍数、動脈血酸素飽和度等）が広く利用されている。
【０００３】
近年、このバイタルサインの測定に加えて、特許文献１に示すような超音波測定装置による超音波診断を同時に行う技術が提案されている。特に、救急現場では、まず超音波測定装置によって、患者の生体内の様子が確認される。
【先行技術文献】
【特許文献】
【０００４】
【特許文献１】米国特許出願公開第２０１８／０１６８５４８号明細書
【発明の概要】
【発明が解決しようとする課題】
【０００５】
上述のように、バイタルサインの測定に加えて超音波診断を同時に行う際、従来のバイタルサインを取得するための医療器具に対して、超音波測定装置が組み合わされる。したがって、超音波測定装置のプローブに連結されたケーブルが煩雑に配置されていると使用者の作業性が悪い。よって、プローブに連結されたケーブルが煩雑に配置されることを防止するための、超音波測定装置が載置される載置部材が求められている。
【０００６】
本発明は、上記課題を解決するために発明されたものであり、バイタルサインの測定に加えて超音波診断を同時に行う際に、使用者の作業性を向上させることのできる載置部材および医療器具を提供することを目的とする。
【課題を解決するための手段】
【０００７】
上記目的を達成する本発明に係る載置部材は、超音波画像が表示されるモニタを固定する台車に取り付けられ、前記超音波画像を取得する超音波測定装置が載置される載置部材であって、前記超音波測定装置のプローブに連結されたケーブルおよびコネクタ部の少なくとも一部がはめ込まれて固定される固定部を有する。
【０００８】
また、上記目的を達成する本発明に係る医療器具は、上述の載置部材と、前記台車と、前記モニタと、前記超音波測定装置と、を有する。
【発明の効果】
【０００９】
上述の載置部材および医療器具によれば、プローブに連結されたケーブルおよびコネクタ部の少なくとも一部がはめ込まれて固定される固定部が設けられるため、プローブに連結されたケーブルが煩雑に配置されることを防止できる。したがって、バイタルサインの測定に加えて超音波診断を同時に行う際に、使用者の作業性を向上させることができる。
【図面の簡単な説明】
【００１０】
【図１】本実施形態に係る医療器具を示す概略図である。
【図２】本実施形態に係る載置部材に超音波測定装置が載置された様子を示す斜視図である。
【図３】本実施形態に係る載置部材を示す斜視図である。
【図４】本実施形態に係る載置部材を示す上面図である。
【図５】図４のＡ部を示す拡大図である。
【図６】変形例１に係る固定部を示す、図５に対応する図である。
【図７】変形例２に係る固定部を示す、図５に対応する図である。
【図８】変形例３に係る固定部を示す、図５に対応する図である。
【発明を実施するための形態】
【００１１】
本発明の実施形態を、図面を参照しつつ説明する。なお、図面の説明において同一の要素には同一の符号を付し、重複する説明を省略する。図面の寸法比率は、説明の都合上誇張されており、実際の比率とは異なる場合がある。
【００１２】
図１は、本実施形態に係る医療器具１を示す概略図である。図２は、本実施形態に係る載置部材６０に超音波測定装置５０が載置された様子を示す斜視図である。図３は、本実施形態に係る載置部材６０を示す斜視図である。図４は、本実施形態に係る載置部材６０を示す上面図である。図５は、図４のＡ部を示す拡大図である。
【００１３】
医療器具１は、バイタルサイン（血圧、体温、呼吸、脈拍数、動脈血酸素飽和度等）の測定に加えて超音波診断を同時に行うことができる。医療器具１は、図１に示すように、鉛直方向に延在する支柱１０と、支柱１０の下方に取り付けられたキャスタ２０と、支柱１０に取り付けられ超音波測定用のジェルの容器等を収納する収納部３０と、支柱１０の上方に取り付けられたモニタ４０と、超音波診断を行うための超音波測定装置５０と、超音波測定装置５０が載置される載置部材６０と、を有する。支柱１０、キャスタ２０、および収納部３０は、台車５を構成する。台車５は上方においてモニタ４０を固定する。
【００１４】
以下の説明において、モニタ４０の画面側を正面側と称し、モニタ４０の側面側を側面側と称する。
【００１５】
支柱１０は、図１に示すように、上下方向に延在して設けられる。支柱１０の側面には、図２に示すように、上下方向に沿って溝部１１が設けられる。溝部１１には、後述する載置部材６０に設けられた取付部６６が上下方向にスライド移動可能に取り付けられる。
【００１６】
キャスタ２０は、図１に示すように、支柱１０の下方に５つ取り付けられる。このようにキャスタ２０が取り付けられることによって、医療器具１は床面を自在に移動することができる。
【００１７】
モニタ４０は、図１に示すように、台車５の上方に取り付けられる。モニタ４０には、被験者に接続された各種のセンサから取得した生体信号を基に測定された、各種のバイタルサインが表示される。また、モニタ４０には、超音波測定装置５０によって取得された超音波画像が表示される。
【００１８】
超音波測定装置５０は、被験者の生体にプローブ５１を接触させることにより、被験者の生体内部の超音波画像を取得する。超音波測定装置５０は、図２に示すように、被験者の生体に接触させるプローブ５１と、プローブ５１に連結されたケーブルＣ１の先端に設けられるコネクタ部Ｃ２が接続されるリモコン５２と、を有する。プローブ５１に連結されたケーブルＣ１は、例えばＵＳＢケーブルであって、リモコン５２は、ＵＳＢケーブルとＵＳＢ接続される。
【００１９】
プローブ５１は、被験者の生体に接触して超音波を送信する送信部（不図示）と、被験者の生体において反射した超音波を受信する受信部（不図示）と、受信した超音波信号が送信されて超音波画像を取得する制御部（不図示）と、を有する。プローブ５１は、コンベックス型、セクタ型、リニア型等のいずれであってもよい。
【００２０】
プローブ５１は、図２に示すように、Ｚ方向の中央近傍にＸ方向およびＹ方向に沿って広がる膨出部５１Ａを有する。このようにプローブ５１に膨出部５１Ａが設けられることによって、使用者はプローブ５１を好適に把持することができる。本実施形態において、プローブ５１は２つ設けられる。プローブ５１に連結されたケーブルＣ１は、後述する載置部材６０の引掛部６５に巻回して引掛けられる。また、ケーブルＣ１の先端に設けられるコネクタ部Ｃ２は、リモコン５２に接続される。
【００２１】
リモコン５２は、各種動作を遠隔で操作することができる。リモコン５２は、例えば、プローブ５１の送信部、受信部、および制御部の起動等を行うことができる。また、リモコン５２には、カメラが内蔵され、その場の状況を撮影することができる。
【００２２】
超音波測定装置５０によって取得された超音波画像は、モニタ４０に表示される。
【００２３】
次に、図２〜図５を参照して、載置部材６０の構成について詳述する。なお、説明の容易のため、図４の左右方向をＸ方向と称し、図４の上下方向をＹ方向と称し、鉛直方向をＺ方向と称する。
【００２４】
載置部材６０には、図２に示すように、超音波測定装置５０が載置される。載置部材６０は、台車５に着脱可能に取り付けられる。
【００２５】
載置部材６０は、図２〜図４に示すように、ＸＹ平面に沿って面状に構成する平面部６０Ａと、平面部６０ＡのＸ方向の左側かつＹ方向の手前側から、Ｚ方向の下向きかつＹ方向の手前側に延在する第１延在部６０Ｂと、平面部６０ＡのＹ方向の奥側からＺ方向の下向きに延在する第２延在部６０Ｃと、を有する。
【００２６】
平面部６０Ａおよび第１延在部６０Ｂは、互いに固定される。平面部６０Ａおよび第１延在部６０Ｂを固定する方法は特に限定されない。平面部６０Ａおよび第２延在部６０Ｃは、互いに固定される。平面部６０Ａおよび第２延在部６０Ｃを固定する方法は特に限定されない。
【００２７】
平面部６０Ａは、図３、図４に示すように、ＸＹ平面上に設けられる。平面部６０Ａを構成する材料は特に限定されないが、例えば樹脂によって構成される。平面部６０Ａには、図２、図３に示すように、プローブ５１が載置される第１載置部６１と、プローブ５１に連結されたケーブルＣ１が固定される固定部６２と、各種小物が配置される配置部６３と、が設けられる。
【００２８】
第１載置部６１は、図３、図４に示すように、Ｙ方向の奥側に向けてＵ字状に凹んだ形状を有する。第１載置部６１は、図３、図４に示すように、２つのプローブ５１がそれぞれ載置されるように、Ｘ方向に沿って２つ設けられる。
【００２９】
第１載置部６１のＸ方向に沿う長さＬ１（図４参照）は、プローブ５１の膨出部５１ＡのＸ方向に沿う長さよりも短くなるように構成されている。また、第１載置部６１のＸ方向に沿う長さＬ１は、プローブ５１の膨出部５１Ａを除く部位のＸ方向に沿う長さよりも長くなるように構成されている。また、第１載置部６１の上面側には、プローブ５１が脱落せず、かつプローブ５１が上方から載置できるように、テーパ部６１Ａが形成されている。また、第１載置部６１を構成し互いに対向する長辺６１Ｂは、互いに略平行である。このように構成された第１載置部６１によれば、プローブ５１の長手方向（図２で上方から視たとき長手方向）がＹ方向に沿うように、プローブ５１を第１載置部６１に載置することができる。このように第１載置部６１が設けられることによって、使用者が手に取りやすくなり、スピーディに検査を行うことができる。
【００３０】
固定部６２は、図３、図４に示すように、２つの第１載置部６１のＸ方向の右側にそれぞれ設けられる。なお、固定部６２が設けられる位置は、上記に限定されない。
【００３１】
本実施形態において、固定部６２は、プローブ５１に連結されたケーブルＣ１がはめ込まれて固定される。固定部６２は、図４、図５に示すように、ケーブルＣ１の外周に設けられた樹脂材よりも幅狭となるように構成されたくびれ部６２Ａと、くびれ部６２ＡのＹ方向の奥側に設けられケーブルＣ１に連結されたコネクタ部Ｃ２が収納されて固定される収納部６２Ｂと、を有する。なお収納部６２Ｂは、ＵＳＢケーブルに略対応する構造となっているが必ずしもこれに限られず、他のコネクタ形状を考慮した構成であっても良い。
【００３２】
このため、樹脂材の弾性力によって、ケーブルＣ１は、固定部６２のくびれ部６２Ａに固定されるとともに、コネクタ部Ｃ２は、固定部６２の収納部６２Ｂに固定される。なお、平面部６０Ａが樹脂製である場合、固定部６２のくびれ部６２Ａの弾性力によっても、ケーブルＣ１は、固定部６２のくびれ部６２Ａに固定される。上述のようにケーブルＣ１とコネクタ部Ｃ２の双方が固定されることが好ましいが、くびれ部６２を用いてケーブルＣ１の一部分のみを固定することも可能である。固定部６２のくびれ部６２Ａは、図５に示すように、Ｙ方向に沿って２つ設けられる。このように、固定部６２のくびれ部６２ＡがＹ方向に沿って２つ設けられることによって、２か所でケーブルＣ１を固定することができる。したがって、ケーブルＣ１の脱落を好適に防止することができる。また、固定部６２のくびれ部６２ＡがＹ方向に沿って２つ設けられることによって、使用者は２つのくびれ部６２Ａのうち片側のくびれ部６２Ａを選択して、ケーブルＣ１を固定することができる。
【００３３】
配置部６３は、各種小物を載置する。配置部６３は、第１載置部６１のＹ方向の奥側かつＸ方向の左側に設けられる。配置部６３に配置される小物としては、特に限定されないが、例えば、超音波測定用のジェルの容器である。
【００３４】
第１延在部６０Ｂには、超音波測定装置５０のリモコン５２が載置される第２載置部６４が構成されている。第１延在部６０Ｂは、金属の周りに樹脂を被覆することによって構成されている。
【００３５】
第２載置部６４は、第１載置部６１のＸ方向の左側に設けられる。第２載置部６４の先端は、側面から視てＵ字形状を備えている。このように構成された第２載置部６４によれば、リモコン５２の操作面が正面側を向くように配置することができる。よって、使用者が、医療器具１に対して、左右どちらの側面側に立っていたとしても、リモコン５２の操作面を視認することでき、使用者の作業性が向上する。
【００３６】
第２延在部６０Ｃは、金属の周りに塗装が施されることによって構成されている。第２延在部６０Ｃには、プローブ５１に連結されたケーブルＣ１を引っ掛ける引掛部６５と、支柱１０に取り付けられる取付部６６と、が設けられる。
【００３７】
引掛部６５は、図２に示すように、ケーブルＣ１が巻回されるように引っ掛かる。引掛部６５は、第２延在部６０Ｃのうち、Ｚ方向の下方に設けられる。引掛部６５は、側面から視て、Ｕ字形状を備えている。このように載置部材６０には引掛部６５が設けられているため、ケーブルＣ１が煩雑に配置されることを防止できる。引掛部６５は、金属の周りに樹脂を被覆することによって構成されている。
【００３８】
取付部６６は、図２〜図４に示すように、第２延在部６０Ｃのうち、Ｙ方向の奥側に設けられる。取付部６６は、Ｙ方向の奥側に向けて延在する一対の本体部６６Ａと、本体部６６Ａに設けられたねじ穴（不図示）に螺合可能に配置された締結部材６６Ｂと、を有する。
【００３９】
一対の本体部６６Ａは、Ｘ方向に沿って設けられる。一対の本体部６６Ａは、図２に示すように、支柱１０のＸ方向の幅よりも、互いに離間して設けられる。
【００４０】
締結部材６６Ｂは、１つの本体部６６Ａに対して、Ｙ方向に沿って２つ設けられる。一対の本体部６６ＡがＺ方向にスライド移動可能となるように締結部材６６Ｂを緩めた状態で、一対の本体部６６ＡのＺ方向の位置決めをした後、一対の締結部材６６Ｂを互いに近づくように締め付ける。これによって、締結部材６６Ｂが支柱１０に固定され、載置部材６０が支柱１０に固定される。
【００４１】
なお、本発明は上述した実施形態に限定されるものではなく、特許請求の範囲内で種々改変することができる。
【００４２】
例えば、上述した実施形態では、載置部材６０は、台車５に対して着脱可能に取り付けられていた。しかしながら、載置部材６０は、台車５に対して着脱不能に固定されていてもよい。
【００４３】
また、上述した実施形態では、くびれ部６２Ａは、ケーブルＣ１の長手方向に沿って２つ設けられていた。しかしながら、くびれ部６２Ａは、１つまたは３つ以上設けられていてもよい。
【００４４】
また、上述した実施形態では、第１載置部６１は２つ設けられていた。しかしながら、第１載置部６１は、１つまたは３つ以上設けられていてもよい。
【００４５】
また、上述した実施形態では、第１載置部６１は、Ｙ方向の奥側に向けてＵ字状に凹んだ形状を有していた。しかしながら、第１載置部は、面取りされた長方形等であってもよい。
【００４６】
また、上述した実施形態では、固定部６２は、図５に示すように、くびれ部６２Ａを有した。しかしながら、固定部１６２は、図６に示すように、くびれ部が無い構成であってもよい。このとき、固定部１６２の幅は、ケーブルＣ１の外周に設けられた樹脂材よりも幅狭となるように構成される。この構成によれば、樹脂材の弾性力によって、ケーブルＣ１は、固定部１６２に固定される。
【００４７】
また、上述した実施形態では、収納部６２ＢのＸ方向の幅は、コネクタ部Ｃ２の幅よりも幅広となるように構成されていた。しかしながら、固定部２６２は、図７に示すように、ケーブルＣ１を固定せず、コネクタ部Ｃ２がはめ込まれて固定される構成であってもよい。本例では固定部２６２は、コネクタ部Ｃ２の幅に対応する略長方形形状の溝により構成されている。なお、図７では、理解の容易のため、ケーブルＣ１およびコネクタ部Ｃ２が図示されている。
【００４８】
また、上述した実施形態では、図４に示すように、固定部６２のＹ方向の奥側には、ケーブルＣ１に連結されたコネクタ部Ｃ２が収納される収納部６２Ｂが設けられた。しかしながら、固定部３６２は、図８に示すように、コネクタ部Ｃ２が収納される収納部６２Ｂが設けられなくてもよい。
【００４９】
本発明における固定部は、ケーブルＣ１の少なくとも一部、コネクタ部Ｃ２の少なくとも一部、またはケーブルＣ１の少なくとも一部かつコネクタ部Ｃ２の少なくとも一部がはめ込まれて固定される構成であれば、上述した構成に限定されない。
【００５０】
また、上述した実施形態では、収納部６２Ｂにコネクタ部Ｃ２は、固定されていた。しかしながら、収納部６２Ｂにコネクタ部Ｃ２は、固定されずに単に収納される構成であってもよい。
【符号の説明】
【００５１】
１      医療器具、
５      台車、
１０    支柱、
２０    キャスタ、
４０    モニタ、
５０    超音波測定装置、
５１    プローブ、
５１Ａ  プローブの膨出部、
５２    リモコン、
６０    載置部材、
６１    第１載置部、
６２、１６２、２６２、３６２    固定部、
６４    第２載置部、
６５    引掛部、
６６    取付部、
Ｃ１    ケーブル、
Ｃ２    コネクタ。
【図１】
2020191985.tif 000003
【図２】
2020191985.tif 000004
【図３】
2020191985.tif 000005
【図４】
2020191985.tif 000006
【図５】
2020191985.tif 000007
【図６】
2020191985.tif 000008
【図７】
2020191985.tif 000009
【図８】
2020191985.tif 000010